(57)【特許請求の範囲】
【請求項１】
チャネルクロック周期のＮ（Ｎは１以上の整数）倍のデータ長からなる情報を半導体レーザからのレーザ光により記録媒体上に記録する際に、前記半導体レーザを所定の波形で発光させ、所定の記録変調方式に基づいてマークあるいはスペースを前記記録媒体上に形成するマーク／スペース形成手段と、前記記録期間中に、所定の間隔で、前記半導体レーザの前記マーク形成時の発光パワーであるマークパワーおよび前記スペース形成時の発光パワーであるスペースパワーをそれぞれサンプリングしてホールドすることにより、それぞれ最適な発光パワーになるように調整する発光パワー調整手段とを有する光情報記録再生装置において、
前記発光パワー調整手段に、前記スペースパワーを所定回数だけサンプリングしてホールドした後、その所定回数でのスペースパワーの変動の大きさに応じて、前記マークパワーのサンプリングおよびホールド間隔を変更するサンプル／ホールド間隔変更手段を設けたことを特徴とする光情報記録再生装置。
【請求項２】
前記サンプル／ホールド間隔変更手段が、前記スペースパワーを所定回数だけサンプリングしてホールドした後、その所定回数でのスペースパワーの変動のうち、隣接するスペースパワーどうしの変動が最も大きい値に応じて、前記マークパワーのサンプリングおよびホールド間隔を変更する手段であることを特徴とする請求項１記載の光情報記録再生装置。
【請求項３】
前記サンプル／ホールド間隔変更手段が、前記スペースパワーを所定回数だけサンプリングしてホールドした結果、その所定回数でのスペースパワーの変動が所定量より大きい場合に、前記マークパワーのサンプリングおよびホールド間隔を短くする手段であることを特徴とする請求項１記載の光情報記録再生装置。
【請求項４】
請求項１乃至３のいずれか一項に記載の光情報記録再生装置において、
前記スペースパワーをサンプリングしてホールドする間隔と、前記マークパワーをサンプリングしてホールドする当初の間隔は、異なる期間であることを特徴とする光情報記録再生装置。
【請求項５】
請求項４記載の光情報記録再生装置において、
前記スペースパワーをサンプリングしてホールドする間隔は、前記マークパワーをサンプリングしてホールドする当初の間隔より短い期間であることを特徴とする光情報記録再生装置。
【請求項６】
請求項１乃至５のいずれか一項に記載の光情報記録再生装置において、
前記マーク／スペース形成手段に、通常に情報を記録する際には、前記マーク形成時に前記マークパワーであるピークパワーおよびバイアスパワーからなるチャネルクロック周期に対応するマルチパルスで、前記スペース形成時に前記スペースパワーによる一定パワーでそれぞれ前記半導体レーザを発光させる手段を設け、
前記発光パワー調整手段に、前記マークパワーを調整する際には、前記ピークパワーをサンプリングしてホールドすることにより得、そのピークパワーをサンプリングしてホールドするために一定期間だけそのピークパワーによる一定パワーで前記半導体レーザを発光させる手段を設けたことを特徴とする光情報記録再生装置。
【請求項７】
請求項１乃至６のいずれか一項に記載の光情報記録再生装置において、
前記マークパワーをサンプリングしてホールドする期間では、本来の記録情報とは無関係に強制的に前記半導体レーザの発光パワーを前記マークパワーとすることを特徴とする光情報記録再生装置。
【請求項８】
請求項１乃至７のいずれか一項に記載の光情報記録再生装置において、
前記マークパワーおよび／あるいは前記スペースパワーをサンプリングしてホールドするためのサンプル期間は、前記記録変調方式の最長データ長であることを特徴とする光情報記録再生装置。
【請求項９】
請求項１乃至７のいずれか一項に記載の光情報記録再生装置において、
前記マーク形成時のマークパワーであるバイアスパワーは、前記スペースパワーとほぼ同じパワーであることを特徴とする光情報記録再生装置。
【請求項１０】
請求項１乃至９のいずれか一項に記載の光情報記録再生装置において、
前記発光パワー調整手段を、サンプル／ホールド回路と、Ａ／Ｄコンバータと、ＣＰＵ等のデジタル制御装置とによって構成したことを特徴とする光情報記録再生装置。
【発明の詳細な説明】
【０００１】
【発明の属する技術分野】
この発明は、半導体レーザ（以下「ＬＤ」と略す）からのレーザ光により光ディスク等の記録媒体上に情報を記録する光情報記録再生装置に関する。
【０００２】
【従来の技術】
マルチメディアの普及に伴い、音楽用ＣＤ，ＣＤ−ＲＯＭ、最近ではＤＶＤ−ＲＯＭなどの再生専用メディア（記録媒体）や、情報再生装置が実用化されている。
【０００３】
また、最近では、色素メディアを用いた追記型光ディスクや、光磁気（ＭＯ）メディアを用いた書き換え可能なＭＯディスクの他に、相変化型メディアも注目されており、これらの記録媒体を用いた情報記録再生装置が実用化されている。
さらに、書き換え可能なＤＶＤメディアは、次世帯のマルチメディア記録媒体および大容量ストレージ媒体として多いに注目されている。
【０００４】
ところで、色素系メディアに情報を記録するための一般的な記録波形として、図３の（ｂ）に示すようなＥＦＭ（Eight Fourteen Modulation） 変調コード、８−１６変調コードなど、記録変調方式に基づいて生成した単パルスのＬＤ発光波形があるが、この記録波形による単パルス記録では、蓄熱のため記録マークが涙状に歪みを生じたりする不具合がある。
【０００５】
このため、色素系メディアに情報を記録するためのＬＤ発光波形規則（ストラテジ）として、図３の（ｃ）に示すように、ＥＦＭ変調コードなどの記録データに基づいたマルチパルス波形のレーザ光により色素系メディアにマークを形成する方式が提案されている。
このマルチパルス波形のマーク部は、先頭加熱パルスと、後続する複数個の連続加熱パルスとで構成される方式が提案される。
【０００６】
色素系メディアや相変化メディアに記録を行なう際には、その記録時のＬＤの発光パワー（記録パワー）の制御を正しく行なうことが必要である。
ＬＤは、自己発熱などにより、駆動電流−発光パワー特性が容易に変動してしまうので、発光パワーを安定化させるために、一般的にＡＰＣ（Automatic Power Control） 制御が行なわれる。
【０００７】
これは、ＬＤ出射光の一部をフォトディテクタ（ＰＤ）に入射させ、ＬＤ発光パワーに比例して発生するモニタ電流を用いてＬＤ駆動電流を制御するというものである。
情報再生のみを考慮した場合は、一般的にＬＤ駆動電流はノイズ抑制のために高周波電流が重畳されるが、ＤＣ的には一定電流であるため、比較的低帯域の帰還ループを構成することで、容易にＡＰＣを実現することができる。
【０００８】
記録時にＡＰＣを行なう場合は、マークあるいはスペースを形成するために記録パワーが高速で変化するため、制御に工夫が必要である。例えば、ＣＤ系やＤＶＤ系では、記録データのＤＳＶ（digital sum value） がゼロになることを利用して、低帯域の帰還グループを構成すれば、再生時と同様に簡易な構成で記録パワーを制御することができるが、正確なパワーを制御することはできない。
【０００９】
そこで、例えば、ＣＤ−Ｒメディアに図６の（ｃ）に示すようなストラテジで記録を行なう場合には、例えば最長データ長である１１Ｔの長さのマークあるいはスペースのデータを記録する際に、その記録時のＬＤ発光パワー（記録パワー）をサンプリングしてホールドする（以下「サンプル／ホールドする」という）ようにすれば、ディスク回転数を４倍速程度にした場合でも、制御帯域は数ＭＨｚでよく、比較的安価な構成で正確な記録パワーを制御することができる。
【００１０】
しかし、ＤＶＤ系の場合は、色素系および相変化系ともに上述したようなマルチパルス発光を行なうことが望ましく、単純なサンプル／ホールド回路では、受光系やその後段の回路で非常に高速な制御帯域が必要になり、現実的でない。
この問題点を解決する方法として、特開平９−１７１６３１号公報に記載されたものでは、ＬＤ発光波形を適宜非パルス状態で駆動する期間を設けることで、相変化メディアへの記録時に非晶質化レベル（ピークパワー）と読み出しレベル（ボトムパワー）を制御している。
【００１１】
特開平９−１７１６３１号公報に記載された技術を図３の（ｃ）に示したようなＤＶＤ色素系メディアの記録ストラテジのマークパワー（ＬＤのマーク形成時の発光パワー）制御に応用しようとした場合、非パルス状態で記録した箇所は連続加熱により記録マークがうまく形成されず、欠損箇所となるが、比較的長い間隔毎にこのＡＰＣ動作を行なう分にはエラー訂正機能により再生時に影響はほとんど与えない。
【００１２】
また、スペースパワー（ＬＤのスペース形成時の発光パワー）は、一般的に一定パワーであるので、比較的長いスペースデータを記録する際に、サンプル／ホールドすることで記録データに欠損を与えることなくスペースパワーの制御を行なうことができる。したがって、スペースパワー制御間隔は、マークパワー制御間隔に比べて短い間隔で制御を行なうことが可能である。
【００１３】
【発明が解決しようとする課題】
しかしながら、電源投入直後などでＬＤが冷却している状態では、自己発熱により温度変動が大きくなり、安定した状態になるまでには時間がかかる。また、ＬＤの性能劣化や周囲温度などでも、記録パワーの変動が大きくなってしまう。
このような場合には、マークパワーの制御間隔が長いと、その間のパワー変動が無視できなくなり、ジッタの増大などを招くことになる。
【００１４】
この発明は上記の問題点に鑑みてなされたものであり、記録パワーの変動が大きい場合でも、安定した記録が行なえるように記録パワーの制御を行なうことを目的とする。
【００１５】
【課題を解決するための手段】
この発明は、チャネルクロック周期のＮ（Ｎは１以上の整数）倍のデータ長からなる情報をＬＤ（半導体レーザ）からのレーザ光により記録媒体上に記録する際に、ＬＤを所定の波形で発光させ、所定の記録変調方式に基づいてマークあるいはスペースを記録媒体上に形成するマーク／スペース形成手段と、上記記録期間中に、所定の間隔で、ＬＤのマーク形成時の発光パワーであるマークパワーおよびスペース形成時の発光パワーであるスペースパワーをそれぞれサンプル／ホールドすることにより、それぞれ最適な発光パワーになるように調整する発光パワー調整手段とを有する光情報記録再生装置において、上記の目的を達成するため、次のようにしたことを特徴とする。
【００１６】
請求項１の発明は、発光パワー調整手段に、スペースパワーを所定回数だけサンプル／ホールドした後、その所定回数でのスペースパワーの変動の大きさに応じて、マークパワーのサンプリングおよびホールド間隔（以下「サンプル／ホールド間隔」という）を変更するサンプル／ホールド間隔変更手段を設けたものである。
【００１７】
請求項２の発明は、請求項１の光情報記録再生装置において、サンプル／ホールド間隔変更手段を、スペースパワーを所定回数だけサンプル／ホールドした後、その所定回数でのスペースパワーの変動のうち、隣接するスペースパワーどうしの変動が最も大きい値に応じて、マークパワーのサンプル／ホールド間隔を変更する手段としたものである。
【００１８】
請求項３の発明は、請求項１の光情報記録再生装置において、サンプル／ホールド間隔変更手段を、スペースパワーを所定回数だけサンプル／ホールドした結果、その所定回数でのスペースパワーの変動が所定量より大きい場合に、マークパワーのサンプル／ホールド間隔を短くする手段としたものである。
【００１９】
請求項４の発明は、請求項１〜３のいずれかの光情報記録再生装置において、スペースパワーをサンプル／ホールドする間隔と、マークパワーをサンプル／ホールドする当初の間隔を、異なる期間としたものである。
請求項５の発明は、請求項４の光情報記録再生装置において、スペースパワーをサンプル／ホールドする間隔を、マークパワーをサンプル／ホールドする当初の間隔より短い期間としたものである。
【００２０】
請求項６の発明は、請求項１〜５のいずれかの光情報記録再生装置において、マーク／スペース形成手段に、通常に情報を記録する際には、マーク形成時にマークパワーであるピークパワーおよびバイアスパワーからなるチャネルクロック周期に対応するマルチパルスで、スペース形成時にスペースパワーによる一定パワーでそれぞれＬＤを発光させる手段を設け、発光パワー調整手段に、マークパワーを調整する際には、ピークパワーをサンプル／ホールドすることにより得、そのピークパワーをサンプル／ホールドするために一定期間だけそのピークパワーによる一定パワーでＬＤを発光させる手段を設けたものである。
【００２１】
請求項７の発明は、請求項１〜６のいずれかの光情報記録再生装置において、マークパワーをサンプル／ホールドする期間では、本来の記録情報とは無関係に強制的にＬＤの発光パワーをマークパワーとしたものである
請求項８の発明は、請求項１〜７のいずれかの光情報記録再生装置において、マークパワーおよび／あるいはスペースパワーをサンプル／ホールドするためのサンプル期間を、上記記録変調方式の最長データ長としたものである。
【００２２】
請求項９の発明は、請求項１〜７のいずれかの光情報記録再生装置において、マーク形成時のマークパワーであるバイアスパワーを、スペースパワーとほぼ同じパワーとしたものである。
請求項１０の発明は、請求項１〜９のいずれか一項に記載の光情報記録再生装置において、発光パワー調整手段を、サンプル／ホールド回路と、Ａ／Ｄコンバータと、ＣＰＵ等のデジタル制御装置とによって構成したものである。
【００２３】
【発明の実施の形態】
以下、この発明の実施形態を図面に基づいて具体的に説明する。
この実施形態では、ＤＶＤフォーマットのコードデータを色素系メディア（例えば色素系光ディスク）に記録（追記）する光情報記録再生装置の情報記録方式の例を示し、データ変調方式として８−１６変調コードを用いてマークエッジ（ＰＷＭ：Pulse Width Modulation）記録を行なう。このようなメディアと記録データを用いて、ＬＤをマルチパルス発光させて記録マークを形成することにより、情報の記録を行なう。
【００２４】
図１はこの発明の一実施形態である光情報記録再生装置の要部例を示すブロック構成図、図２はその動作を説明するためのタイミングチャートである。
この光情報記録再生装置は、ＣＰＵ（マイクロコンピュータ）１，ＬＤ２，モニタＰＤ３，ＬＤ駆動装置４，Ｉ／Ｖ変換回路５，サンプル／ホールド回路６，Ａ／Ｄコンバータ７，８，およびＤ／Ａコンバータ１０，１１を備えており、これらによって以下の（ａ）（ｂ）に示す各手段としての機能を果たす。
【００２５】
（ａ）チャネルクロック周期のＮ（Ｎは１以上の整数）倍のデータ長からなる情報をＬＤ２からのレーザ光により図示しない光ディスク等の記録媒体上に記録する際に、ＬＤ２を所定の波形で発光させ、所定の記録変調方式に基づいてマークあるいはスペースを記録媒体上に形成するマーク／スペース形成手段
【００２６】
（ｂ）上記記録期間中に、所定の間隔で、ＬＤ２のマーク形成時の発光パワーであるマークパワーおよびスペース形成時の発光パワーであるスペースパワーをそれぞれサンプル／ホールドすることにより、それぞれ最適な発光パワーになるように調整する発光パワー調整手段
【００２７】
この発光パワー調整手段は、スペースパワーを所定回数だけサンプル／ホールドした後、その所定回数でのスペースパワーの変動の大きさに応じて、マークパワーのサンプル／ホールド間隔を変更するサンプル／ホールド間隔変更手段を設けている。
【００２８】
このサンプル／ホールド間隔変更手段は、スペースパワーを所定回数だけサンプル／ホールドした後、その所定回数でのスペースパワーの変動のうち、隣接するスペースパワーどうしの変動が最も大きい値に応じて、マークパワーのサンプル／ホールド間隔を変更する手段とするか、あるいはスペースパワーを所定回数だけサンプル／ホールドした結果、その所定回数でのスペースパワーの変動が所定量より大きい場合に、マークパワーのサンプル／ホールド間隔を短くする手段とするが、それらの手段に限るものではない。
【００２９】
スペースパワーをサンプル／ホールドする間隔と、マークパワーをサンプル／ホールドする当初の間隔を、異なる期間とする。例えば、スペースパワーをサンプル／ホールドする間隔を、マークパワーをサンプル／ホールドする当初の間隔より短い期間とする。
【００３０】
マーク／スペース形成手段は、通常に情報を記録する際には、マーク形成時にマークパワーであるピークパワーおよびバイアスパワーからなるチャネルクロック周期に対応するマルチパルスで、スペース形成時にスペースパワーによる一定パワーでそれぞれＬＤ２を発光させる手段を設けているが、それ以外の手段を設けてもよい。
【００３１】
発光パワー調整手段に、マークパワーを調整する際には、ピークパワーをサンプル／ホールドすることにより得、そのピークパワーをサンプル／ホールドするために一定期間だけそのピークパワーによる一定パワーでＬＤ２を発光させる手段を設けているが、それ以外の手段を設けてもよい。
【００３２】
マークパワーをサンプル／ホールドする期間では、本来の記録情報とは無関係に強制的にＬＤ２の発光パワーをマークパワーとする。
マークパワーおよび／あるいはスペースパワーをサンプル／ホールドするためのサンプル期間を、上記記録変調方式の最長データ長とする。
マーク形成時のマークパワーであるバイアスパワーを、スペースパワーとほぼ同じパワーとする。
【００３３】
すなわち、情報の記録時は、マルチパルスでマークを形成するためのマークパワーであるピークパワーおよびバイアスパワー、スペースを形成するためのスペースパワーの３種類の記録パワーが必要であるが、バイアスパワーとスペースパワーはほぼ同じパワーでよいので、同じパワーレベルで扱うことにする（請求項９に対応する）。
【００３４】
このように構成された光情報記録再生装置において、ＣＰＵ１から出力されるスペースパワー制御信号がＤ／Ａコンバータ１０によりスペースパワー制御アナログ信号となり、ＬＤ駆動装置４に供給される。
ＣＰＵ１から出力されるピークパワー制御信号がＤ／Ａコンバータ１１によりピークパワー制御アナログ信号となり、ＬＤ駆動装置４に供給される。
ＬＤ駆動装置４は、スペースパワー制御アナログ信号に応じてスペースパワーのレベルを、ピークパワー制御アナログ信号に応じてピークパワーのレベルをそれぞれ決定する。
【００３５】
ＣＰＵ１は、記録する情報を図３の（ｂ）に示すような８−１６変調信号（記録データ）に変換し、更に同図の（ｃ）に示したようなマルチパルス波形を生成し、その波形に応じてスペースパワーイネーブル信号あるいはピークパワーイネーブル信号をＬＤ駆動装置４に供給する。
ＬＤ駆動装置４は、スペースパワーイネーブル信号あるいはピークパワーイネーブル信号がハイレベル“Ｈ”の時にＬＤ２に駆動電流を供給する。
【００３６】
このとき、スペースパワーを駆動する電流に所定量の電流を重畳することでピークパワーを駆動する電流とし、ＣＰＵ１は、ＬＤ２をスペースパワーで発光させる際にはスペースパワーイネーブル信号のみを“Ｈ”にし、ピークパワーで発光させる際にはスペースパワーイネーブル信号とピークパワーイネーブル信号の両方を“Ｈ”にする。よって、記録中は、スペースパワーイネーブル信号を常に“Ｈ”レベルにしておけばよい（図３の(ｄ)(ｅ)参照）。
【００３７】
ＬＤ駆動装置４よりＬＤ２に駆動電流が供給されると、ＬＤ２からレーザ光が射出されて光ディスク等の記録媒体に照射され、情報の記録・再生が行なわれる。その際、出射光の一部がモニタＰＤ３に入射され、ＬＤ２の発光パワーに比例したパワーモニタ電流がＩ／Ｖ変換回路５に出力される。したがって、Ｉ／Ｖ変換回路５より電流−電圧変換されたパワーモニタ信号を利用することで、ＡＰＣ制御を行なうことができる。
【００３８】
ＬＤ２のスペースパワーでの発光によってＩ／Ｖ変換回路５から出力されるパワーモニタ信号（スペースパワー）は、所定の間隔でＣＰＵ１より出力されるスペースパワーサンプルタイミング信号が“Ｈ”の期間に、サンプル／ホールド回路６によりサンプル／ホールドされ、Ａ／Ｄコンバータ７でデジタル化されてスペースパワーサンプル信号としてＣＰＵ１に出力される（図５参照）。
【００３９】
ＬＤ２のピークパワーでの発光によってＩ／Ｖ変換回路５から出力されるパワーモニタ信号（ピークパワー）は、所定の間隔でＣＰＵ１より出力されるピークパワーサンプルタイミング信号が“Ｈ”の期間に、サンプル／ホールド回路６によりサンプル／ホールドされ、Ａ／Ｄコンバータ８でデジタル化されてピークパワーサンプル信号としてＣＰＵ１に出力される（図５参照）。
【００４０】
ＣＰＵ１は、スペースパワーサンプルタイミング信号を予め設定された基準値と比較して、スペースパワーが最適値になるようにスペースパワー制御信号の値を調整する。また、ピークパワーサンプルタイミング信号を予め設定された基準値と比較して、ピークパワーが最適値になるようにピークパワー制御信号の値を調整する。このように、ＣＰＵ１が定期的にスペースパワー制御信号あるいはピークパワー制御信号を調整することにより、常に最適なＬＤ駆動電流および記録パワー（発光パワー）を得ることができる。
【００４１】
ここで、通常に情報を記録する際には、マーク形成時にピークパワーおよびバイアスパワーからなるチャネルクロック周期Ｔに対応するマルチパルスで、スペース形成時にスペースパワーによる一定パワーでそれぞれＬＤ２を発光させる。
また、マークパワーを調整する際には、ピークパワーをサンプル／ホールドすることにより得、そのピークパワーをサンプル／ホールドするために一定期間だけそのピークパワーによる一定パワーでＬＤ２を発光させる（請求項６に対応する）。
【００４２】
さらに、スペースパワーを所定回数だけサンプル／ホールド回路６によってサンプル／ホールドさせた後、その所定回数でのスペースパワーの変動の大きさに応じて、ピークパワー（マークパワー）のサンプル／ホールド間隔を変更する（請求項１〜３に対応する）が、これについては追って詳細に説明する。
【００４３】
さらにまた、スペースパワーをサンプル／ホールドする間隔と、マークパワーをサンプル／ホールドする当初の間隔を、異なる期間とする。この例では、スペースパワーをサンプル／ホールドする間隔を、ピークパワー（マークパワー）をサンプル／ホールドする当初の間隔より短い期間とする（請求項４，５に対応する）。
【００４４】
この際、記録媒体における非パルス状態で記録した箇所は、連続加熱により記録マークがうまく形成されず欠損箇所となるので、頻繁にはピークパワー調整は行なえない。一方、スペースパワーは一定パワーであるので、比較的長いスペースデータを記録する際にサンプル／ホールドすることで、記録データに欠損を与えることなく、スペースパワーの制御を行なうことができる。したがって、スペースパワー制御間隔はマークパワー制御間隔に比べて短い間隔で制御が行なえることが分かる。
【００４５】
このような構成にすることで、電源投入直後などでＬＤ２が冷却している状態や、ＬＤの性能劣化や周囲温度などにより、記録パワーの変動が大きくなってしまう場合には、ピークパワーのサンプル／ホールド間隔を短くすることで、よりきめ細かいピークパワーの調整を行なうことができ、ジッタの増大などを防ぐことができる。
【００４６】
また、ピークパワーおよび／あるいはスペースパワーをサンプル／ホールドするためのサンプル期間は、８−１６記録変調方式の最長データ長である１４Ｔとする（請求項８に対応する）。
こうすることで、ＣＰＵ１では、ＡＰＣ用に特殊（特別）なデータコードを生成する必要がなく、且つモニタＰＤ３およびＩ／Ｖ変換回路５の制御帯域を低くすることができる。
【００４７】
ここで、ＤＶＤ規格において、１４Ｔデータ長はＳＹＮＣコードなので、スペースパワーのサンプル期間を１４Ｔスペースデータ出力時にする場合は、ＳＹＮＣフレーム（１４８８Ｔ）のほぼ２回に１回ごとにサンプル／ホールドを行なうことになる（図２の(ａ)(ｂ)参照）。なお、１４Ｔデータは、ＤＳＶをゼロにするために規則に従って１４Ｔマークあるいは１４Ｔスペースが選ばれるので、必ずしも２ＳＹＮＣに１回１４Ｔスペースが出力されるわけではないが、便宜上、図２ではこのように表記している。
【００４８】
また、ピークパワー（マークパワー）をサンプル／ホールドする期間では、本来の記録情報とは無関係に強制的にＬＤ２の発光パワーをピークパワーとするようにする（請求項７に対応する）。
【００４９】
ピークパワーをサンプリング（サンプル／ホールド）するタイミングは、１４Ｔマークデータ出力時に行なうと、常にＳＹＮＣコードを欠損させてしまうことになるので、ＳＹＮＣタイミングとは全く非同期に（記録初期時は）定期的に本来の記録データ（記録情報）とは無関係に１４Ｔマークを出力し、ピークパワーをサンプリングするようにする。
【００５０】
記録データは、スクランブルをかけられているので、ＳＹＮＣタイミングと非同期であればマークが欠損していてもエラー訂正により正常に再生される確率が高くなる。定常状態でサンプリングのために１４Ｔマークを出力する間隔は、例えば１０ｍｓ毎とすれば、チャネルクロック周期Ｔ＝３８.２ｎｓ として、約１７５ＳＹＮＣであり、スペースパワーサンプリング約８８回に１回、ピークパワーをサンプリングすることになる（図２の(ｃ)参照）。
【００５１】
スペースパワー変動を求める場合、例えば図４の（ａ）に示すように、スペースパワーを５回（所定回数）サンプリングし、それぞれ求めたスペースパワーモニタ値Ｍs1〜Ｍs5と基準値Ｍsrとの誤差平均（スペースパワー変動）に応じてピークパワー（マークパワー）のサンプル／ホールド間隔を変更する。
【００５２】
例えば、各々求めたスペースパワーモニタ値Ｍs1〜Ｍs5と基準値Ｍsrとの誤差平均が許容変動値（所定量）Ｄより大きい場合、つまり
0003693849.tif 000002
のような場合には、ＬＤ２のパワー変動が大きいとみなし、図２の（ｄ）に示したようにピークパワーのサンプル／ホールド間隔を短くする（請求項３に対応する）。
【００５３】
あるいは、スペースパワー変動を求める場合、例えば図４の（ｂ）に示すように、スペースパワーを５回（所定回数）サンプリングし、それぞれ求めたスペースパワーモニタ値Ｍs1〜Ｍs5の各々隣接する値どうしの誤差(Ｍs1−Ｍs2)，(Ｍs2−Ｍs3)，……，(Ｍs4−Ｍs5)のうち、最も大きな誤差（隣接するスペースパワーどうしの変動が最も大きい値）に応じてピークパワー（マークパワー）のサンプル／ホールド間隔を変更する。
【００５４】
例えば、各々求めたスペースパワーモニタ値Ｍs1〜Ｍs5の各々隣接する値どうしの誤差(Ｍs1−Ｍs2)，(Ｍs2−Ｍs3)，……，(Ｍs4−Ｍs5)のうち、最も大きな誤差が許容変動値Ｄよりも大きい場合、つまり
ＭＡＸ(Ｍsi−Ｍ(si＋1))＞Ｄ
のような場合には、ＬＤ２のパワー変動が大きいとみなし、図２の（ｄ）に示したようにピークパワーのサンプル／ホールド間隔を短くする（請求項２に対応する）。
【００５５】
ピークパワーのサンプル／ホールド間隔の変化は、例えば、定常状態での間隔が１０ｍｓとした場合、半分の間隔の５ｍｓ毎にサンプル／ホールドを行なうようにすれば、ＬＤ２のパワー変動が大きくなった場合でも安定した記録を行なえるようにでき、ＬＤ２のパワー変動が定常状態になった場合は、再びピークパワーのサンプル／ホールド間隔を１０ｍｓにすれば、マークの欠損回数を減らすことができる。
【００５６】
なお、この実施形態の光情報記録再生装置では、請求項１〜９に対応する処理を行なう制御部（発光パワー制御手段等としての機能を有する）をＣＰＵ１，サンプル／ホールド回路６，Ａ／Ｄコンバータ７，８を含む各回路によって構成したが、必ずしもそれらの回路によって構成する必要はない。例えば、ＣＰＵ１に代えてそれと同等の機能を有する他のデジタル制御装置を使用したり、請求項１〜９に対応する処理を行なう制御部全体をアナログ回路によって構成することもできる。
【００５７】
以上、この実施形態の光情報記録再生装置における請求項１〜９に対応する構成および処理について説明したが、それらの処理を全て実行可能な制御部を１台の光情報記録再生装置に設けることもできるし、それらの処理の一部のみを実行可能な制御部を光情報記録再生装置に設けることもできる。
【００５８】
【発明の効果】
以上説明してきたように、請求項１の発明の光情報記録再生装置によれば、スペースパワーを所定回数だけサンプル／ホールドした後、その所定回数でのスペースパワーの変動の大きさに応じて、マークパワーのサンプル／ホールド間隔を変更するので、ＬＤが冷却している時や性能劣化，周囲温度などにより、記録パワーの変動が大きくなってしまう場合でも、安定した記録が行なえるように記録パワーの制御を行なうことができる。
【００５９】
請求項２の発明の光情報記録再生装置によれば、スペースパワーを所定回数だけサンプル／ホールドした後、その所定回数でのスペースパワーの変動のうち、隣接するスペースパワーどうしの変動が最も大きい値に応じて、マークパワーのサンプル／ホールド間隔を変更するので、ＬＤが冷却している時や性能劣化，周囲温度などにより、記録パワーの変動が大きくなってしまう場合でも、安定した記録が行なえるように記録パワーの制御を行なうことができる。
【００６０】
請求項３の発明の光情報記録再生装置によれば、スペースパワーを所定回数だけサンプル／ホールドした結果、その所定回数でのスペースパワーの変動が所定量より大きい場合に、マークパワーのサンプル／ホールド間隔を短くするので、ＬＤの性能劣化や周囲温度などにより、記録パワーの変動が初期状態よりも大きくなってしまう場合でも、安定した記録が行なえるように記録パワーの制御を行なうことができる。
【００６１】
請求項４の発明の光情報記録再生装置によれば、請求項１〜３のいずれかの光情報記録再生装置において、スペースパワーをサンプル／ホールドする間隔と、マークパワーをサンプル／ホールドする当初の間隔を、異なる期間としたので、請求項１〜３のいずれかの発明と同様の効果に加え、スペースパワーのパワー変動を少なくすることができる。
【００６２】
請求項５の発明の光情報記録再生装置によれば、請求項４の光情報記録再生装置において、スペースパワーをサンプル／ホールドする間隔を、マークパワーをサンプル／ホールドする当初の間隔より短い期間としたので、請求項１〜３のいずれかの発明と同様の効果に加え、スペースパワーのパワー変動を少なくすることができる。
【００６３】
請求項６の発明の光情報記録再生装置によれば、請求項１〜５のいずれかの光情報記録再生装置において、通常に情報を記録する際には、マーク形成時にマークパワーであるピークパワーおよびバイアスパワーからなるチャネルクロック周期に対応するマルチパルスで、スペース形成時にスペースパワーによる一定パワーでそれぞれＬＤを発光させ、マークパワーを調整する際には、ピークパワーをサンプル／ホールドすることにより得、そのピークパワーをサンプル／ホールドするために一定期間だけそのピークパワーによる一定パワーでＬＤを発光させるので、請求項１〜５のいずれかの発明と同様の効果に加え、制御帯域の低い回路構成でピークパワーの検出を行なうことができる。
【００６４】
請求項７の発明の光情報記録再生装置によれば、請求項１〜６のいずれかの光情報記録再生装置において、マークパワーをサンプル／ホールドする期間では、本来の記録情報とは無関係に強制的にＬＤ２の発光パワーをマークパワーとするので、請求項１〜６のいずれかの発明と同様の効果に加え、再生時に欠損マークデータのエラー訂正を行ないやすくできる。
【００６５】
請求項８の発明の光情報記録再生装置によれば、請求項１〜７のいずれかの光情報記録再生装置において、マークパワーおよび／あるいはスペースパワーをサンプル／ホールドするためのサンプル期間を、上記記録変調方式の最長データ長としたので、請求項１〜７のいずれかの発明と同様の効果に加え、パワー検出用に特別なデータコードを生成する必要がなくなる。
【００６６】
請求項９の発明の光情報記録再生装置によれば、請求項１〜７のいずれかの光情報記録再生装置において、マーク形成時のマークパワーであるバイアスパワーをスペースパワーとほぼ同じパワーとしたので、請求項１〜７のいずれかの発明と同様の効果に加え、ＬＤ駆動装置の制御信号を少なくすることができる。
【００６７】
請求項１０の発明の光情報記録再生装置によれば、請求項１〜９のいずれかの光情報記録再生装置において、マークパワーおよび／あるいはスペースパワーをサンプル／ホールド回路がサンプル／ホールドし、Ａ／Ｄコンバータがデジタル化してＣＰＵ等のデジタル制御装置に出力することにより、そのデジタル制御装置が、マークパワーおよび／あるいはスペースパワーの増加又は減少の調整、スペースパワーのサンプルパワー変動量の算出、マークパワーおよび／あるいはスペースパワーのサンプル／ホールド間隔の制御を行なうことができるので、請求項１〜９のいずれかの発明と同様の効果に加え、パワー制御をほとんどデジタル的に行なうことができ、制御がしやすくなる。
【図面の簡単な説明】
【図１】この発明の一実施形態である光情報記録再生装置の要部例を示すブロック構成図である。
【図２】図１に示した光情報記録再生装置の動作の一部分を説明するためのタイミング図である。
【図３】図１に示した光情報記録再生装置の動作の他の部分を説明するためのタイミング図である。
【図４】図１のＣＰＵ１によるスペースパワー変動の算出処理を説明するための線図である。
【図５】図１に示した光情報記録再生装置の動作のさらに他の部分を説明するためのタイミング図である。
【図６】従来の光情報記録再生装置の動作の一部分を説明するためのタイミング図である。
【符号の説明】
１：ＣＰＵ              ２：ＬＤ（半導体レーザ）
３：モニタＰＤ          ４：ＬＤ駆動装置
５：Ｉ／Ｖ変換回路      ６：サンプル／ホールド回路
７，８：Ａ／Ｄコンバータ
１０，１１：Ｄ／Ａコンバータ
【図１】
0003693849.tif 000003
【図２】
0003693849.tif 000004
【図３】
0003693849.tif 000005
【図４】
0003693849.tif 000006
【図５】
0003693849.tif 000007
【図６】
0003693849.tif 000008